Podtech/llm-jp-corpus-v4-ja_patent huggingface dataset:
【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
周方向に周回すると共に、該周方向に複数種の絵柄が付された複数の周回体と、
前記各周回体について各絵柄のうち一部の絵柄を視認可能とする表示窓と、
前記各周回体の周回を開始させるべく操作される始動操作手段と、
前記始動操作手段の操作に基づいて役の抽選を行う抽選手段と、
前記周回体毎に設けられ、該各周回体を周回させる駆動手段と、
前記始動操作手段の操作に基づいて前記各周回体の周回を開始させるよう前記各駆動手段を開始駆動制御する開始駆動制御手段と、
前記各周回体の周回を個別に停止させるべく操作される複数の停止操作手段と、
前記停止操作手段が操作されて停止指令が発生した場合、対応する周回体の周回を停止させるように、且つ、前記役の抽選に当選するとともに前記停止操作手段が所定のタイミングで操作された場合には、当選している役と対応する当選絵柄が前記表示窓から視認できる有効位置に停止するように前記各駆動手段を停止駆動制御する停止駆動制御手段と、
前記有効位置に前記当選絵柄が所定の組合せを形成して停止した場合、入賞成立として特典を付与する特典付与手段と
を備えた遊技機において、
経過時間を判断する経過時間判断手段と、
前記経過時間判断手段が所定時間を経過したと判断した場合、周回している周回体の周回を停止させるべく前記各駆動手段を停止駆動制御する第２停止駆動制御手段と、
前記各周回体を周方向にそれぞれ区画した複数の区画領域と、各区画領域に付された絵柄との対応関係を記憶する対応関係記憶手段と、
前記停止操作手段の操作に基づく停止指令が発生した場合、又は前記経過時間判断手段が前記所定時間を経過したと判断した場合に、停止させる周回体の各区画領域のうち、予め定めた規定位置に到達している到達区画領域を把握する到達区画領域把握手段と、
前記停止操作手段の操作に基づく停止指令が発生した場合、又は前記経過時間判断手段が前記所定時間を経過したと判断した場合に、前記到達区画領域把握手段の把握結果に基づいて、停止させる周回体の各区画領域のうち、前記規定位置に停止させる停止区画領域を決定する停止区画領域決定手段と、
前記停止区画領域が決定されていない周回体を停止させる場合に用いる停止情報を導出する停止情報導出手段と、
前記停止情報を記憶する停止情報記憶手段と
を備え、
前記停止駆動制御手段及び前記第２停止駆動制御手段は、前記停止区画領域決定手段の決定した停止区画領域が前記規定位置に停止するよう対応する駆動手段を停止駆動制御し、
前記停止区画領域決定手段は、
前記停止操作手段の操作に基づく停止指令が発生したこと、又は前記経過時間判断手段が前記所定時間を経過したと判断したことに基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定し、判定結果情報を導出する比較判定手段と、
前記判定結果情報に基づいて前記停止区画領域を導出する停止区画領域導出手段と
を備え、
前記停止情報導出手段は、
前記各周回体が周回を開始した場合と、前記各周回体のいずれかが周回を停止した場合と、の少なくとも一方の場合において、前記停止区画領域が決定されていない少なくとも１つの周回体の停止情報を導出する第１導出手段と、
前記経過時間判断手段が前記所定時間を経過したと判断した場合、前記第１導出手段が導出した停止情報を用いて新たな停止情報を導出する第２導出手段と
を備えたことを特徴とする遊技機。
【請求項２】
前記第１導出手段を、前記停止操作手段の操作に基づく停止指令が発生する前までに、前記停止区画領域が決定されていない少なくとも１つの周回体について全区画領域の停止情報を区画領域毎に導出する構成とし、前記停止情報記憶手段を、前記各区画領域と１対１で対応する情報記憶手段を有する構成とし、前記情報記憶手段を１バイト以下で構成したことを特徴とする請求項１に記載の遊技機。
【請求項３】
前記第１導出手段は、前記区画領域が前記規定位置に到達した場合に前記有効位置に到達する到達絵柄を区画領域毎に把握する到達絵柄把握手段と、当該到達絵柄把握手段の把握した到達絵柄と前記役の抽選結果に基づいて入賞成立の可能性を区画領域毎に判断する入賞可能性判断手段とを備え、前記情報記憶手段には、前記入賞可能性判断手段の判断結果を示す入賞可能性情報を記憶する入賞可能性記憶領域を設けたことを特徴とする請求項２に記載の遊技機。
【請求項４】
前記第２導出手段は、前記入賞可能性記憶領域に記憶された前記入賞可能性情報を反転して新たな停止情報を導出することを特徴とする請求項３に記載の遊技機。
【手続補正書】
【提出日】平成25年7月12日(2013.7.12)
【手続補正１】
【補正対象書類名】明細書
【補正対象項目名】００５２
【補正方法】変更
【補正の内容】
【００５２】
（ターゲットシート）
腹側Ｆにおけるファスニングテープ１３の係止箇所には、係止を容易にするためのターゲットを有するターゲットシート７４を設けるのが好ましい。ターゲットシート７４は、係止部がフック材１３Ａの場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側Ｆにおけるファスニングテープ１３の係止箇所が不織布からなる場合、例えば図示形態の外装シート１２が不織布からなる場合であって、ファスニングテープ１３の係止部がフック材１３Ａの場合には、ターゲットシート７４を省略し、フック材１３Ａを外装シート１２の不織布に絡ませて係止することもできる。この場合、ターゲットシート７４を外装シート１２と液不透過性シート１１との間に設けてもよい。
【手続補正２】
【補正対象書類名】明細書
【補正対象項目名】００７４
【補正方法】変更
【補正の内容】
【００７４】
スキンケア剤ｃとしては、公知のものを特に限定無く使用することができ、例えば石油系エモリエント、脂肪酸エステルエモリエント、アルキルエトキシレートエモリエント、脂肪酸エステルエトキシレートエモリエント、脂肪アルコールエモリエント、およびこれらの混合物からなるものを用いることもできるが、特に、特開２０００−１１００６７号公報に記載された、ビタミンＥ群として知られるトコフェロール同族体が好適である。この場合、α型トコフェロールが表面シート３０の１００重量部に対して、０．００１重量部以上付着するように、トコフェロール同族体を表面シート３０に含有させるのが好ましい。さらに、塗布するトコフェロール同族体中のα型トコフェロールの割合は、９０％以上であることが望ましい。
【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
検知手段により検知された生体の心拍数を計測する計測手段と、
前記生体が入眠したか否かを判別する判別手段と、
前記判別手段により前記生体が入眠したと判別された場合に、当該判別の時点からの経過時間に対する前記心拍数の変化から前記生体の睡眠の質を判定する判定手段と
を具備することを特徴とする睡眠評価装置。
【請求項２】
前記判別手段は、前記生体の体動量を検出する検出手段により検出された体動量が閾値未満になったとき、前記生体が入眠したと判別する
ことを特徴とする請求項１に記載の睡眠評価装置。
【請求項３】
前記判別手段は、前記計測手段により計測された心拍数が閾値未満になったとき、前記生体が入眠したと判別する
ことを特徴とする請求項１または２に記載の睡眠評価装置。
【請求項４】
前記計測手段により計測された心拍数の移動平均を算出する算出手段を具備し、
前記判定手段は、前記判別手段により前記生体が入眠したと判別された場合に、前記算出手段により算出された心拍数の移動平均の変化から前記生体の睡眠の質を判定する
ことを特徴とする請求項１から３のいずれかに記載の睡眠評価装置。
【請求項５】
前記判定手段は、睡眠の質と当該睡眠をしている生体の心拍数の変化パターンとを対応付けて記録した対応表を取得し、取得した当該対応表に記録された前記変化パターンと前記計測手段により計測された心拍数の変化パターンとを比較して前記生体の睡眠の質を判定する
ことを特徴とする請求項１から４のいずれかに記載の睡眠評価装置。
【請求項６】
生体の心拍数を検知する検知手段と、
請求項１から５までのいずれかに記載の睡眠評価装置と
を具備することを特徴とする睡眠評価システム。
【請求項７】
コンピューターを、
検知手段により検知された生体の心拍数を計測する計測手段と、
前記生体が入眠したか否かを判別する判別手段と、
前記判別手段により前記生体が入眠したと判別された場合に、当該判別の時点からの経過時間に対する前記心拍数の変化から前記生体の睡眠の質を判定する判定手段
として機能させるためのプログラム。
【手続補正２】
【補正対象書類名】明細書
【補正対象項目名】０００７
【補正方法】変更
【補正の内容】
【０００７】
上述した課題を解決するため、本発明に係る睡眠評価装置は、検知手段により検知された生体の心拍数を計測する計測手段と、前記生体が入眠したか否かを判別する判別手段と、前記判別手段により前記生体が入眠したと判別された場合に、当該判別の時点からの経過時間に対する前記心拍数の変化から前記生体の睡眠の質を判定する判定手段とを具備することを特徴とする。
これにより、脈波や脈拍間隔を用いる場合に比べて簡易な方法で、睡眠の質を評価することができる。
【手続補正３】
【補正対象書類名】明細書
【補正対象項目名】００１３
【補正方法】変更
【補正の内容】
【００１３】
また、本発明に係るプログラムは、コンピューターを、検知手段により検知された生体の心拍数を計測する計測手段と、前記生体が入眠したか否かを判別する判別手段と、前記判別手段により前記生体が入眠したと判別された場合に、当該判別の時点からの経過時間に対する前記心拍数の変化から前記生体の睡眠の質を判定する判定手段として機能させるためのプログラムである。
このプログラムにより、脈波や脈拍間隔を用いる場合に比べて簡易な方法で、睡眠の質を評価することができる。
【手続補正書】
【提出日】平成25年2月7日(2013.2.7)
【手続補正１】
【補正対象書類名】特許請求の範囲
【補正対象項目名】請求項７
【補正方法】変更
【補正の内容】
【請求項７】
前記圧着治具は、前記撮像素子を含む撮像ヘッドを収容する凹部を有する下型と、前記下型の凹部に対応した凸部を有する上型とによって構成され、前記下型の凹部の押圧面及び前記上型の凸部の押圧面に前記ゲルを付与するとともに、前記放熱部材が仮付けされた前記撮像ヘッドを前記下型の凹部の押圧面に前記ゲルを介して載置し、前記上型を所定の押圧力で所定の押圧時間だけ押圧することを特徴とする請求項６に記載の電子内視鏡用の撮像装置の製造方法。
【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
吐水装置に収容される水質浄化用カートリッジであって、
水が透過可能な水質浄化材料を少なくとも一部に有するカートリッジ本体と、
上記カートリッジ本体内部に連通する接続口を穿設されて上記吐水装置のカートリッジ受けに差し込み固定可能な接続端を有する下流端接続部材とを有し、
上記吐水装置内に、上記水質浄化材料を透過して上記下流端接続部材を通過した水が吐出される浄水流路と、上記水質浄化材料を透過しない水が吐出される原水流路とを形成するとともに、
上記下流端接続部材が、差し込み固定時には上記カートリッジ受けに設けられて浄水流路を閉塞する止水弁もしくは流量制御弁を開弁して上記浄水流路を開放することを特徴とする浄水器内蔵型吐水装置の水質浄化用カートリッジ。
【請求項２】
上記浄水流路を開放する手段として、上記止水弁もしくは上記流量制御弁を押圧する押圧部を上記下流側接続部材に設けたことを特徴とする請求項１記載の浄水器内蔵型吐水装置の水質浄化用カートリッジ。
【請求項３】
吐水装置に収容される水質浄化用カートリッジであって、
水が透過可能な水質浄化材料を少なくとも一部に有するカートリッジ本体と、
上記カートリッジ本体内部に連通する接続口を穿設されて上記吐水装置のカートリッジ受けに差し込み固定可能な接続端を有する下流端接続部材とを有し、
上記吐水装置内に、上記水質浄化材料を透過して上記下流端接続部材を通過した水が吐出される浄水流路を形成するとともに、
上記下流端接続部材には、上記吐水装置の内周面から内方向に突設した内周突起物の内径よりも大径に形成された大径部を設けたことを特徴とする浄水器内蔵型吐水装置の水質浄化用カートリッジ。
【請求項４】
上記下流端接続部材には、上記吐水装置の内周面から内方向に突設した内周突起物の内径よりも大径に形成された大径部を設け、
上記吐水装置への収容時にはこの大径部が上記内周突起物に下流側から当接することにより、上記押圧部が上記止水弁を押圧する状態を保持することを特徴とする請求項２記載の浄水器内蔵型吐水装置の水質浄化用カートリッジ。
【請求項５】
上記吐水装置が下流端付近に上記内周突起物を有する収容部上流部材と収容部下流部材とに軸方向に二分割される上記浄水器内蔵型吐水装置に収容されるカートリッジであって、
上記下流端接続部材を上流側に向けて上記収容部上流部材に差し込んだ際には、上記収容部上流部材の下流端付近で上記大径部が上記内周突起物に当接して進入を阻止されることを特徴とする請求項３または４記載の浄水器内蔵型吐水装置の水質浄化用カートリッジ。
【請求項６】
上記吐水装置への収容時には、上流側の端面で、上記吐水装置の上流側底部の水流入口の周縁近傍に設けられた底部突起物に当接することにより、上記押圧部が上記止水弁を押圧する状態を保持することを特徴とする請求項２記載の浄水器内蔵型吐水装置の水質浄化用カートリッジ。
【請求項７】
請求項１から請求項６までのいずれか一項に記載の水質浄化用カートリッジを内蔵したことを特徴とする浄水器内蔵型吐水装置。
【手続補正２】
【補正対象書類名】明細書
【補正対象項目名】０００７
【補正方法】変更
【補正の内容】
【０００７】
本発明において、上記課題が解決される手段は以下の通りである。
本発明は、吐水装置に収容される水質浄化用カートリッジであって、水が透過可能な水質浄化材料を少なくとも一部に有するカートリッジ本体と、上記カートリッジ本体内部に連通する接続口を穿設されて上記吐水装置のカートリッジ受けに差し込み固定可能な接続端を有する下流端接続部材とを有し、上記吐水装置内に、上記水質浄化材料を透過して上記下流端接続部材を通過した水が吐出される浄水流路と、上記水質浄化材料を透過しない水が吐出される原水流路とを形成するとともに、上記下流端接続部材が、差し込み固定時には上記カートリッジ受けに設けられて浄水流路を閉塞する止水弁もしくは流量制御弁を開弁して上記浄水流路を開放することを特徴とする。
なお、本発明において止水弁もしくは流量制御弁が浄水流路を「閉塞する」とは、水質浄化用カートリッジを収容せずに浄水吐出の設定にしたときに、浄水流路下流への水の流れを完全に遮断できるもののほか、水道設備の水圧によって少量の水が下流へ流れ出るものも含む。吐出水量が著しく減少すれば、使用者が異常を認識して水質浄化用カートリッジを収容し忘れていることに気づくことができる。
また、本発明は、上記浄水流路を開放する手段として、上記止水弁もしくは上記流量制御弁を押圧する押圧部を上記下流側接続部材に設けたことを特徴とする。
【手続補正３】
【補正対象書類名】明細書
【補正対象項目名】００１５
【補正方法】変更
【補正の内容】
【００１５】
本発明によれば、吐水装置内に、弁体が弁座に押し付けられ上記浄水流路を閉塞する止水弁を設けるとともに、上記水質浄化用カートリッジの下流端接続部材が、差し込み固定時には止水弁を開弁して上記浄水流路を開放することにより、水質浄化用カートリッジを収容し忘れて流路切換弁を浄水吐出に操作しても、止水弁が浄水流路を閉塞するため吐出口から原水が吐出されることがない。このため、使用者が誤って原水を飲用等してしまうことがない。また、原水に含まれるゴミや錆などの固形物質が浄水流路に混入することがない。
また、流量制御弁を設けた場合には、水質浄化用カートリッジを収容し忘れて流路切換弁を浄水吐出に操作しても、流量制御弁によって浄水流路から通常よりも少量の原水しか吐出されない。このため、使用者が異常を認識して、水質浄化用カートリッジを収容し忘れたことに気づき、原水等を誤って飲用等してしまうことがない。
また、本発明は、上記浄水流路を開放する手段として、上記止水弁もしくは上記流量制御弁を押圧する押圧部を上記下流側接続部材に設けたことにより、水質浄化用カートリッジの下流端接続部材をカートリッジ受けに差し込むだけで、止水弁もしくは流量制御弁を容易に開弁することができる。
【手続補正書】
【提出日】平成24年11月2日(2012.11.2)
【手続補正１】
【補正対象書類名】特許請求の範囲
【補正対象項目名】全文
【補正方法】変更
【補正の内容】
【特許請求の範囲】
【請求項１】
人体を支持する人体支持部材及び該人体支持部材により支持された人体の少なくとも大腿部、臀部、腰部を連続的に移動しつつマッサージするマッサージ機構を設けたマッサージ機であって、
前記マッサージ機構は、揉み球からなる左右一対のマッサージ当接部材を備え、
当該左右一対のマッサージ当接部材には、それぞれ、前記揉み球が上下対で、さらに、前記上下対の揉み球が左右対に設けられている
ことを特徴とするマッサージ機。
【請求項２】
前記マッサージ機構は、前記マッサージ当接部材を、使用者のマッサージ部位に向けて進退させるマッサージ子駆動部を備えることを特徴とする請求項１に記載のマッサージ機。
【請求項３】
地面に接して土台となるベース部と、
前記人体支持部材と前記ベース部とを回動可能に連結する回動部とをさらに設け、
前記マッサージ当接部材は、前記回動部により前記人体支持部材を人体の長さ方向において角度調節した状態でマッサージすることが可能であることを特徴とする請求項１または２に記載のマッサージ機。
【請求項４】
前記人体支持部材の大腿部または臀部或いは腰部の対応位置の左右に、空気を給気及び排気する空気給排装置からの空気により膨張及び収縮する膨縮袋を設けたことを特徴とする請求項１、請求項２または請求項３の何れかに記載のマッサージ機。
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
ゴルフコースの芝の食い込みを修復するための携帯型芝修復ツールにおいて、
（ａ）本体部材と、
（ｂ）上記本体部材に配置される第１部分であって、当該第１部分から伸び、食い込みのある芝に挿入可能な少なくとも１つの延長部を具備する上記第１部分と、
（ｃ）上記本体部材に上記少なくとも１つの延長部に対して反対側に配置される大部分であって、上記第１部分に関して上記延長部にてこ力を供給する上記第２部分と、
（ｄ）上記少なくとも１つの延長部が上記食い込みのある芝に挿入されているときに上記第１部分および上記第２部分にピボット動作を行わせるように上記本体部材に結合されるピボット部材と、
（ｅ）上記ピボット部材に含まれる、外部の自由回転ホイールとを有することを特徴とする上記芝修復ツール。
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
遊技動作を制御する制御回路が形成された制御基板と、少なくともベース部材および蓋部材に分割された箱状に形成され、内部に前記制御基板を収納する基板ケースと、ＩＣタグを有して前記基板ケースに貼付されるＩＣタグシールとを備えた遊技機であって、
前記ＩＣタグシールは、前記ベース部材および前記蓋部材に形成されたタグ貼付面に前記ベース部材および前記蓋部材に跨った状態で貼付され、
前記タグ貼付面に沿った方向にスライド移動させて前記タグ貼付面に貼付された前記ＩＣタグシールの表面全体を覆う閉鎖位置に装着されるとともに、前記閉鎖位置から逆方向にスライド移動させることにより取り外せるように構成されたカバー部材と、
前記カバー部材に形成された取付孔に外側から差し込まれて前記カバー部材に取り付けられる破断部材とを備え、
前記タグ貼付面を横切って前記カバー部材のスライド移動方向に延びるスリットが形成され、
前記スリットの端部は、前記ＩＣタグシールの破断を開始する破断スタート位置として設定される前記タグ貼付面から逸脱する位置まで延びて形成され、
前記破断部材を取り付けるために前記カバー部材に形成された前記取付孔は、前記カバー部材が前記閉鎖位置に装着されたときに、前記タグ貼付面から逸脱した位置まで延びた前記スリットの端部と対向する位置に配置され、
前記破断部材は、前記カバー部材が前記閉鎖位置に装着された状態において前記取付孔に差し込まれると、前記破断スタート位置に設置され、前記カバー部材が前記閉鎖位置からスライド移動されて取り外されるのに伴って、前記タグ貼付面に貼付された前記ＩＣタグシールを破断するように構成されたことを特徴とする遊技機。
【請求項２】
前記破断部材は、前記取付孔に外側から差し込まれて前記カバー部材に取り付けられると、外側からは前記取付孔から抜き取ることができないように前記カバー部材に取り付けられることを特徴とする請求項１に記載の遊技機。
【請求項３】
前記カバー部材は、前記破断部材が取り付けられずに前記閉鎖位置に装着されたときには、前記タグ貼付面に貼付された前記ＩＣタグシールの表面全体を覆う着脱可能なカバーとして機能することを特徴とする請求項１または２に記載の遊技機。
【手続補正２】
【補正対象書類名】明細書
【補正対象項目名】０００１
【補正方法】変更
【補正の内容】
【０００１】
本発明は、遊技動作を制御する制御回路が形成された制御基板と、少なくともベース部材および蓋部材に分割された箱状に形成され、内部に制御基板を収納する基板ケースと、ＩＣタグを有して基板ケースに貼付されるＩＣタグシールとを備えた遊技機に関する。
【手続補正３】
【補正対象書類名】明細書
【補正対象項目名】００１５
【補正方法】変更
【補正の内容】
【００１５】
（請求項１）
（特徴点）
請求項１記載の発明は、次の点を特徴とする。
すなわち、請求項１に記載された発明は、遊技動作を制御する制御回路が形成された制御基板(80)と、少なくともベース部材(52)および蓋部材(53)に分割された箱状に形成され、内部に前記制御基板を収納する基板ケース(50)と、ＩＣタグを有して前記基板ケースに貼付されるＩＣタグシール(12)とを備えた遊技機(1)であって、前記ＩＣタグシールは、前記ベース部材および前記蓋部材に形成されたタグ貼付面(56A，56B)に前記ベース部材および前記蓋部材に跨った状態で貼付され、前記タグ貼付面に沿った方向にスライド移動させて前記タグ貼付面に貼付された前記ＩＣタグシールの表面全体を覆う閉鎖位置に装着されるとともに、前記閉鎖位置から逆方向にスライド移動させることにより取り外せるように構成されたカバー部材(60)と、前記カバー部材に形成された取付孔(60A)に外側から差し込まれて前記カバー部材に取り付けられる破断部材(70)とを備えて構成される。そして、前記タグ貼付面を横切って前記カバー部材のスライド移動方向に延びるスリット(58A，58B)が形成され、前記スリットの端部は、前記ＩＣタグシールの破断を開始する破断スタート位置(α)として設定される前記タグ貼付面から逸脱する位置まで延びて形成され、前記破断部材を取り付けるために前記カバー部材に形成された前記取付孔は、前記カバー部材が前記閉鎖位置に装着されたときに、前記タグ貼付面から逸脱した位置まで延びた前記スリットの端部と対向する位置に配置され、前記破断部材は、前記カバー部材が前記閉鎖位置に装着された状態において前記取付孔に差し込まれると、前記破断スタート位置に設置され、前記カバー部材が前記閉鎖位置からスライド移動されて取り外されるのに伴って、前記タグ貼付面に貼付された前記ＩＣタグシールを破断するように構成されることを特徴とする。
（請求項２）
請求項２に記載された発明は、上記請求項１に従属するものであり、前記破断部材は、前記取付孔に外側から差し込まれて前記カバー部材に取り付けられると、外側からは前記取付孔から抜き取ることができないように前記カバー部材に取り付けられることを特徴とする。
（請求項３）
請求項３に記載された発明は、上記請求項１または２に従属するものであり、前記カバー部材は、前記破断部材が取り付けられずに前記閉鎖位置に装着されたときには、前記タグ貼付面に貼付された前記ＩＣタグシールの表面全体を覆う着脱可能なカバーとして機能することを特徴とする。
【手続補正４】
【補正対象書類名】明細書
【補正対象項目名】００１６
【補正方法】変更
【補正の内容】
【００１６】
（請求項１の効果）
以上のように構成されている本発明は、以下に記載されるような効果を奏する。
すなわち、請求項１記載の発明によれば、ＩＣタグシールが基板ケースを構成するベース部材および蓋部材に形成されたタグ貼付面にベース部材および蓋部材に跨った状態で貼付され、そのＩＣタグシールの表面全体を覆う閉鎖位置に装着されるカバー部材を備えて構成される。そのため、ＩＣタグシールがカバー部材の内部に密閉され、ＩＣタグシールを基板ケースから剥がす際に、カミソリ等の刃物を利用することができなくなるうえ、化学薬品をＩＣタグシールに塗布することもできなくなる。従って、ＩＣタグシールのＩＣチップ、無線アンテナ及び外観等にダメージを与えずに基板ケースからＩＣタグシールを剥がすことが不可能となる。
【手続補正５】
【補正対象書類名】明細書
【補正対象項目名】００１７
【補正方法】変更
【補正の内容】
【００１７】
また、タグ貼付面を横切ってカバー部材のスライド移動方向に延びるスリットが形成され、そのスリットの端部がＩＣタグシールの破断を開始する破断スタート位置として設定されるタグ貼付面から逸脱する位置まで延びて形成される。そして、カバー部材を前記閉鎖位置に装着し、この状態において破断部材をカバー部材に形成された取付孔に差し込むと、破断部材は、前記破断スタート位置に設置され、カバー部材を前記閉鎖位置からスライド移動させて取り外すのに伴って、タグ貼付面に貼付されたＩＣタグシールを破断するように構成される。このため、基板ケースの開放の際に、確実にＩＣタグシールが破断され、剥がされたＩＣタグシールの再利用を確実に不可能にすることができ、これにより、前記目的を達成することができる。
【手続補正書】
【提出日】平成25年9月5日(2013.9.5)
【手続補正１】
【補正対象書類名】特許請求の範囲
【補正対象項目名】全文
【補正方法】変更
【補正の内容】
【特許請求の範囲】
【請求項１】
対面位置の幅広な主たる二側面部と、それを繋ぐ開閉に関わる幅狭な疑似的左右二側面部、疑似的上面部と、底面部から成る財布に於いて、その本体内側の疑似的左右側面部ないしは主たる側面部端部に、底面部から離れた仕切りベルトを主たる二側面部と同方向に設けたことを特徴とするベルト活用財布。
【請求項２】
平行な二辺とそれに対し斜めに交差する二辺で成る仕切りベルトを設けたことを特徴とする、請求項１記載のベルト活用財布。
【請求項３】
長方形状の仕切りベルトと底面部から上向きに薄片状のストッパーを設けたことを特徴とする、請求項１記載のベルト活用財布。
【請求項４】
少なくとも財布を閉めた時に、仕切りベルトの上端中ほどは二主側面部側へ、他箇所に影響することなく届く長さを有する、請求項１、２、３記載のベルト活用財布。
【手続補正２】
【補正対象書類名】明細書
【補正対象項目名】０００５
【補正方法】変更
【補正の内容】
【０００５】  対面位置の幅広な主たる二側面部と、それを繋ぐ開閉に関わる幅狭な疑似的左右二側面部、疑似的上面部と、底面部から成る財布に於いて、その本体内側の疑似的左右側面部ないしは主たる側面部端部に、底面部から離れた仕切りベルトを主たる二側面部と同方向に設けたことを特徴とする。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
ラクトビオン酸又はラクトビオン酸の塩とラクトビオン酸又はラクトビオン酸の塩以外のカルシウム源とを含む産卵鶏用の飼料添加剤。
【請求項２】
卵殻強化剤である請求項１記載の飼料添加剤。
【請求項３】
ストレス緩和剤である請求項１記載の飼料添加剤。
【請求項４】
産卵率低下の抑制剤である請求項１記載の飼料添加剤。
【請求項５】
ラクトビオン酸の塩が、ラクトビオン酸のカルシウム塩、ナトリウム塩、カリウム塩、マグネシウム塩、鉄塩、亜鉛塩、銅塩から選ばれる１以上である請求項１記載の飼料添加剤。
【請求項６】
ラクトビオン酸の塩が、ラクトビオン酸のカルシウム塩である請求項１記載の飼料添加剤。
【請求項７】
請求項１記載の飼料添加剤と飼料を含有する飼料。
【請求項８】
有効量のラクトビオン酸又はラクトビオン酸の塩とラクトビオン酸又はラクトビオン酸の塩以外のカルシウム源とを投与する工程を含む産卵鶏の卵殻強化方法。
【請求項９】
有効量のラクトビオン酸又はラクトビオン酸の塩とラクトビオン酸又はラクトビオン酸の塩以外のカルシウム源とを投与する工程を含む産卵鶏のストレス緩和方法。
【請求項１０】
有効量のラクトビオン酸又はラクトビオン酸の塩とラクトビオン酸又はラクトビオン酸の塩以外のカルシウム源とを投与する工程を含む産卵鶏の産卵率低下抑制方法。
【請求項１１】
ラクトビオン酸又はラクトビオン酸の塩とラクトビオン酸又はラクトビオン酸の塩以外のカルシウム源との産卵鶏の卵殻強化のための使用。
【請求項１２】
ラクトビオン酸又はラクトビオン酸の塩とラクトビオン酸又はラクトビオン酸の塩以外のカルシウム源との産卵鶏のストレス緩和のための使用。
【請求項１３】
ラクトビオン酸又はラクトビオン酸の塩とラクトビオン酸又はラクトビオン酸の塩以外のカルシウム源との産卵鶏の産卵率低下抑制のための使用。
【手続補正書】
【提出日】平成25年4月2日(2013.4.2)
【手続補正１】
【補正対象書類名】特許請求の範囲
【補正対象項目名】全文
【補正方法】変更
【補正の内容】
【特許請求の範囲】
【請求項１】
グリップ部（１）とヘッド部（２）とからなる本体部（３）を備えており、
ヘッド部（２）は、可動刃（３３・４４・５９・１３３・１３６）と固定刃（３２・４３・５８・１３２・１３５）を有する切断部（１８）と、可動刃（３３・４４・５９・１３３・１３６）を駆動する駆動構造を備えた駆動部（１９）と、ヘッド部（２）に対して着脱される化粧ケース（２０）を含み、
切断部（１８）の周囲には、切断部（１８）の内部の毛屑室（２１）に通じる通水開口（２７）が設けられており、
ヘッド部（２）に装着した化粧ケース（２０）で通水開口（２７）を覆い隠し、あるいはヘッド部（２）から化粧ケース（２０）を取り外して通水開口（２７）を開放でき、開放された状態の通水開口（２７）から洗浄水を毛屑室（２１）の内部に導入して水洗い洗浄することを特徴とする水洗い式の電気かみそり。
【請求項２】
毛屑室（２１）の内部に、可動刃（３３・４４・５９・１３３・１３６）と協同して洗浄水を撹拌する撹拌体（２６）が配置されており、
化粧ケース（２０）をヘッド部（２）から取り外した状態において、撹拌体（２６）を可動刃用の駆動構造で駆動できる請求項１に記載の水洗い式の電気かみそり。
【請求項３】
切断部（１８）は、往復動式の切断刃ユニット（６・１３１Ａ・１３１Ｂ）を含み、
撹拌体（２６）は、待機位置と、駆動位置との間を往復変位できるように支持され、ばね（５４）で駆動位置へ向かって付勢されており、
撹拌体（２６）は、一群のフィン（４９）を備えた撹拌ベース（４８）と、駆動位置において往復動式の切断刃ユニット（６・１３１Ａ・１３１Ｂ）用の駆動構造に連結される連結部（５２）と、化粧ケース（２０）がヘッド部（２）に装着される動作に連動して、撹拌体（２６）を駆動位置から待機位置へ切り換える操作部（５０）とを備えており、
化粧ケース（２０）をヘッド部（２）から取り外した状態において、撹拌体（２６）が駆動位置へ変位して、連結部（５２）が往復動式の切断刃ユニット（６・１３１Ａ・１３１Ｂ）用の駆動構造に連結され、撹拌体（２６）を往復駆動できることを特徴とする請求項２に記載の水洗い式の電気かみそり。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
少なくとも一部が可動に構成された可動部品を備え、該可動部品は、初期位置から一方向に移動し得る可動部と、該可動部を初期位置側へ付勢する付勢手段とを有する遊技機であって、
前記可動部を初期位置から一方向に移動させていくにつれて、該可動部を初期位置に戻す方向に働く力の増大を軽減させる減殺機構を備えることを特徴とする遊技機。
【請求項２】
前記可動部品が、演出効果を高めるための可動役物であり、
前記可動部を駆動するための駆動手段を備えることを特徴とする請求項１に記載の遊技機。
【請求項３】
前記可動部が支点を中心に回動する構成を有し、
前記可動部を初期位置から一方向に回動させていくにつれて、前記付勢手段による付勢力の方向が、該可動部を初期位置に戻す回転力の方向から次第に離隔していくように、該付勢手段を前記可動部品に配設することにより前記減殺機構が構成されていることを特徴とする請求項１または請求項２に記載の遊技機。
【請求項４】
前記可動部品が、基軸部に前記可動部が回動可能に支持された構成を有し、
前記付勢手段が、前記基軸部および前記可動部に両端をそれぞれ支持された弾性体で構成されていることを特徴とする請求項３に記載の遊技機。
【手続補正書】
【提出日】平成25年9月4日(2013.9.4)
【手続補正１】
【補正対象書類名】特許請求の範囲
【補正対象項目名】全文
【補正方法】変更
【補正の内容】
【特許請求の範囲】
【請求項１】
遊技者により操作され、その操作量に応じて遊技内容を変化させるための操作手段を備え、該操作手段は、遊技者の操作により初期位置と操作位置との間を移動し得る可動部と、該可動部を初期位置側へ付勢する付勢手段とを有する遊技機であって、
前記可動部を初期位置から操作位置側へ移動させていくにつれて、該可動部を初期位置に戻す方向に働く力の増大を軽減させる減殺機構を備えることを特徴とする遊技機。
【請求項２】
前記可動部が支点を中心に回動する構成を有し、
前記可動部を初期位置から操作位置側へ回動させていくにつれて、前記付勢手段による付勢力の方向が、該可動部を初期位置に戻す回転力の方向から次第に離隔していくように、該付勢手段を前記操作手段に配設することにより前記減殺機構が構成されていることを特徴とする請求項１に記載の遊技機。
【請求項３】
前記操作手段が、基軸部に前記可動部が回動可能に支持された構成を有し、
前記付勢手段が、前記基軸部および前記可動部に両端をそれぞれ支持された弾性体で構成されていることを特徴とする請求項２に記載の遊技機。
【請求項４】
前記弾性体がねじりコイルばねで構成され、該ねじりコイルばねが、そのコイル中心が前記可動部の回動軸から外れた状態で配設されていることを特徴とする請求項３に記載の遊技機。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
脱着可能な表面コイルを備えて被検体から放出される核磁気共鳴信号を受信する受信手段と、
前記受信手段の動作を制御する制御手段と、
前記表面コイルと該表面コイルの動作を規定するコイルモードとの対応関係を記憶する情報保持手段と、
前記対応関係に基づいて全コイルモードの中から所定の判断基準を満たすコイルモードを選択する選択手段と、
前記選択手段により選択されたコイルモードを表示する表示手段と、
を有することを特徴とする核磁気共鳴イメージング装置。
【請求項２】
請求項１に記載の磁気共鳴イメージング装置において、
前記所定の判断基準は、前記表面コイルの接続状態であることを特徴とする核磁気共鳴イメージング装置。
【請求項３】
請求項１又は２に記載の磁気共鳴イメージング装置において、
前記所定の判断基準は、前記被検体の撮像部位と計測位置であることを特徴とする核磁気共鳴イメージング装置。
【請求項４】
請求項１乃至３のいずれか一項に記載の磁気共鳴イメージング装置において、
前記所定の判断基準は、前記表面コイル・コイルモードの使用頻度情報であることを特徴とする核磁気共鳴イメージング装置。
【請求項５】
請求項１乃至４のいずれか一項に記載の磁気共鳴イメージング装置において、
前記所定の判断基準は、前記表面コイルの各コイルモードのプロトコル別使用頻度情報であることを特徴とする核磁気共鳴イメージング装置。
【請求項６】
請求項１乃至５のいずれか一項に記載の磁気共鳴イメージング装置において、
前記所定の判断基準が複数設けられ、ユーザの動作に基づいて前記所定の判断基準が決定されることを特徴とする核磁気共鳴イメージング装置。
【請求項７】
脱着可能な表面コイルが設けられ被検体から放出される核磁気共鳴信号を受信する受信手段と、
前記受信手段の動作を制御する制御手段と、
前記表面コイルと該表面コイルの動作を規定するコイルモードとの対応関係を記憶する情報保持手段と、
を備え、
前記対応関係に基づいて全コイルモードの中から所定の判断基準を満たすコイルモードを選択する選択ステップと、
前記選択ステップにより選択されたコイルモードを表示する表示ステップと、
を有することを特徴とする磁気共鳴イメージング装置における表面コイルの選択方法。
【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
所定厚のコバを備える光学部と該光学部を眼内で支持するための支持部とを備える軟性眼内レンズが眼内レンズ挿入器具内に予め装填されてなる眼内レンズ挿入システムにおいて、
前記眼内レンズは、前記光学部の少なくともその一方の面と前記コバとが繋がる部分が鋭角となるように形成されており，該鋭角部分を持つ前記一方の面が前記眼内レンズ挿入器具の内壁に当接するように前記眼内レンズ挿入器具内に予め装填されていることを特徴とする眼内レンズ挿入システム。
【請求項２】
請求項１の眼内レンズ挿入システムにおいて、前記一方の面は前記光学部の光学領域を形成する曲面または平面と、該曲面または平面と前記コバとの間にて形成される周辺部とを有し、前記鋭角となる部分は前記コバと前記周辺部との接続部分であることを特徴とする眼内レンズ挿入システム。
【請求項３】
請求項２の眼内レンズ挿入システムにおいて、前記曲面は凸面であることを特徴とする眼内レンズ挿入システム。
【手続補正２】
【補正対象書類名】明細書
【補正対象項目名】発明の名称
【補正方法】変更
【補正の内容】
【発明の名称】眼内レンズ挿入システム
【手続補正３】
【補正対象書類名】明細書
【補正対象項目名】０００１
【補正方法】変更
【補正の内容】
【０００１】
本発明は、眼内レンズ挿入器具に眼内レンズが予め装填されてなる眼内レンズ挿入システムに関する。
【手続補正４】
【補正対象書類名】明細書
【補正対象項目名】０００７
【補正方法】変更
【補正の内容】
【０００７】
本発明は上記従来技術の問題点に鑑み、コバ厚を有する眼内レンズをインジェクターにて送出させる際に、インジェクター側に特段の工夫を持たせることなく、好適に折り畳むことのできる眼内レンズ挿入システムを提供することを技術課題とする。
【手続補正５】
【補正対象書類名】明細書
【補正対象項目名】０００９
【補正方法】変更
【補正の内容】
【０００９】
（１）  所定厚のコバを備える光学部と該光学部を眼内で支持するための支持部とを備える軟性眼内レンズが眼内レンズ挿入器具内に予め装填されてなる眼内レンズ挿入システムにおいて、前記眼内レンズは、前記光学部の少なくともその一方の面と前記コバとが繋がる部分が鋭角となるように形成されており，該鋭角部分を持つ前記一方の面が前記眼内レンズ挿入器具の内壁に当接するように前記眼内レンズ挿入器具内に予め装填されていることを特徴とする。
【手続補正６】
【補正対象書類名】明細書
【補正対象項目名】００１０
【補正方法】変更
【補正の内容】
【００１０】
本発明によれば、コバ厚を有する眼内レンズをインジェクターにて送出させる際に、インジェクター側に特段の工夫を持たせることなく、好適に折り畳むことのできる眼内レンズ挿入システムを提供できる。
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
内蔵コイルと脱着可能な表面コイルを備えて被検体から放出される核磁気共鳴信号を受信する受信手段と、
前記表面コイルが磁気共鳴イメージング装置に接続されているか否かの接続状態を判定する接続状態判定手段と、
前記接続状態判定手段で前記表面コイルが接続されていないと判定した場合には、前記内蔵コイルで撮像するか否かの選択要求を提示する提示手段と、
前記内蔵コイルで撮像をしないとユーザが選択した場合に、ユーザが意図する接続状態に復帰させる改善機会をユーザに与える手段と、
を有することを特徴とする磁気共鳴イメージング装置。
【請求項２】
請求項１に記載の磁気共鳴イメージング装置において、
前記接続状態の復帰は、前記表示手段の表示上で前記表面コイルを用いた撮像の設定により実行されることを特徴とする磁気共鳴イメージング装置。
【請求項３】
請求項１又は２に記載の磁気共鳴イメージング装置において、
前記内蔵コイルで撮像するか否かの選択要求は、前記表示手段に表示されることを特徴とする磁気共鳴イメージング装置。
【請求項４】
請求項１乃至３のいずれか一項に記載の磁気共鳴イメージング装置において、
前記表面コイルが接続されていないと判定された場合には、前記被検体の検査部位の設置時に、前記表面コイルの接続状態を警告する手段を有することを特徴とする磁気共鳴イメージング装置。
【請求項５】
請求項１乃至４のいずれか一項に記載の磁気共鳴イメージング装置において、
撮像時に、前記内蔵コイルでの撮像を前記制御手段が判断することを特徴とする磁気共鳴イメージング装置。
【請求項６】
請求項１乃至５のいずれか一項に記載の磁気共鳴イメージング装置において、
前記被検体の検査部位の設定時に、前記表面コイルの接続不良を前記制御手段が判断することを特徴とする磁気共鳴イメージング装置。
【請求項７】
内蔵コイルと脱着可能な表面コイルが設けられ被検体から放出される核磁気共鳴信号を受信する受信手段を備えて、
前記表面コイルが磁気共鳴イメージング装置に接続されているか否かの接続状態を判定するステップと、
前記接続状態を判定するステップで前記表面コイルが接続されていないと判定した場合には、前記内蔵コイルで撮像するか否かの選択要求を提示するステップと、
前記内蔵コイルで撮像をしないとユーザが選択した場合に、ユーザが意図する接続状態に復帰させるステップと、
を有することを特徴とする磁気共鳴イメージング装置における受信コイル接続状態の確認方法。
【手続補正書】
【提出日】平成25年9月9日(2013.9.9)
【手続補正１】
【補正対象書類名】特許請求の範囲
【補正対象項目名】全文
【補正方法】変更
【補正の内容】
【特許請求の範囲】
【請求項１】
複数種の絵柄を循環表示させる複数の循環表示手段と、
前記絵柄の循環表示を開始させるべく操作される開始操作手段と、
役の抽選を行う抽選手段と、
前記絵柄の循環表示を停止させるべく操作される複数の停止操作手段と、
前記役の抽選に当選した当選役と対応する当選絵柄が有効位置に所定の組合せを形成して停止したことに基づいて、入賞成立として遊技者に特典を付与する特典付与手段と、
前記役の抽選結果が特別役当選であって前記有効位置に特別絵柄の組合せが停止した場合、特別役入賞成立として遊技状態を特別遊技状態に移行させる特別遊技状態移行手段と
を備え、
前記特別遊技状態が、第１特別遊技状態と、前記第１特別遊技状態下で前記有効位置に第２特別絵柄の組合せが停止した場合に移行する第２特別遊技状態と、を少なくとも含む遊技機において、
遊技状態に関わる状態情報を記憶する状態情報記憶手段と、
前記役の当選確率に関わる抽選情報を記憶する抽選情報記憶手段と、
前記状態情報記憶手段に記憶されている状態情報に基づいて、前記抽選手段が前記役の抽選を行う場合に用いる抽選情報を選択する抽選情報選択手段と
を備え、
前記抽選情報選択手段を、遊技状態が前記第１特別遊技状態である場合、小役の当選確率に関わる小役抽選値情報として、遊技状態が前記特別遊技状態でない場合に選択される小役抽選値情報を選択する構成とし、
遊技状態が前記第１特別遊技状態である場合と、遊技状態が前記特別遊技状態でない場合と、で前記小役の入賞確率を変化させる入賞確率変化手段を備えたことを特徴とする遊技機。
【請求項２】
前記入賞確率変化手段は、遊技状態が前記特別遊技状態でない状況で前記小役抽選値情報のうち所定小役抽選値情報に基づいて前記役の抽選に当選となった場合、前記小役に当選したことを示す小役当選情報と、シングルボーナス役に当選したことを示すシングルボーナス役当選情報と、を設定するとともに、遊技状態が前記第１特別遊技状態である状況で前記所定小役抽選値情報に基づいて前記役の抽選に当選となった場合、前記小役当選情報を設定する一方で前記シングルボーナス役当選情報を設定しない当選情報設定手段と、前記小役当選情報と前記シングルボーナス役当選情報が共に設定されている場合、前記シングルボーナス役と対応する絵柄の組合せが前記有効位置に停止するよう前記各循環表示手段を停止制御する優先停止制御手段と、を備えたことを特徴とする請求項１に記載の遊技機。
【請求項３】
前記特別遊技状態下で遊技媒体が予め定めた所定枚数払い出された場合、前記特別遊技状態を終了させる特別遊技状態終了手段と、
前記特別遊技状態下で前記役の抽選結果が特定結果となった場合、前記停止操作手段の全てに特定操作がなされれば前記有効位置に第１特定組合せが停止し、前記停止操作手段の少なくとも１つに前記特定操作がなされなければ前記有効位置に第２特定組合せが停止し得るよう前記各循環表示手段を停止制御する停止制御手段と
を備え、
前記特別遊技状態下で前記有効位置に前記第２特定組合せが停止した場合に、前記状態情報記憶手段に第１状態情報が記憶されていれば、当該第１状態情報に代えて第２状態情報を前記状態情報記憶手段に記憶させる第１切替手段と、前記特別遊技状態下で前記有効位置に前記第２特定組合せが停止した場合に、前記状態情報記憶手段に前記第２状態情報が記憶されていれば、当該第２状態情報に代えて前記第１状態情報を前記状態情報記憶手段に記憶させる第２切替手段と、のうち少なくとも一方を備え、
前記状態情報記憶手段は、前記特別遊技状態が終了した際に記憶されている第１状態情報又は第２状態情報を、予め定めた所定条件が成立するまで記憶保持するものであって、
前記抽選情報選択手段は、遊技状態が前記特別遊技状態でない状況で前記状態情報記憶手段に前記第１状態情報が記憶されていることに基づいて、第１抽選情報を選択し、遊技状態が前記特別遊技状態でない状況で前記状態情報記憶手段に前記第２状態情報が記憶されていることに基づいて、前記第１抽選情報より少なくとも第１役の当選確率が高く設定された第２抽選情報を選択することを特徴とする請求項１又は請求項２に記載の遊技機。
【手続補正書】
【提出日】平成25年9月5日(2013.9.5)
【手続補正１】
【補正対象書類名】明細書
【補正対象項目名】００２１
【補正方法】変更
【補正の内容】
【００２１】
Cout(i) = Cout(i-1)＋(1−Aout(i-1))・A(i)・C(i)・S(i)      −(1)
Aout(i) = Aout(i-1)＋(1−Aout(i-1))・A(i)                  −(2)
A(i) = Opacity[C(i)]                                       −(3)
C(i)は作成される2次元投影面上のある点から3次元断層画像を見た場合、視線上i番目に存在するボクセルの輝度値である。Cout(i)は、出力されるピクセル値である。例えば、視線上にNボクセルの輝度値が並んだとき、i =0〜N-1までを積算した輝度値Cout(N-1)が最終的に出力されるピクセル値となる。Cout(i-1)はi-1番目までの積算値を示す。
【手続補正２】
【補正対象書類名】明細書
【補正対象項目名】００２４
【補正方法】変更
【補正の内容】
【００２４】
Cout(i)、Aout(i) は、ともに0を初期値としている。上記(2)に示されるように、Aout(i)はボクセルを通過するたびに積算され1.0に収束される。よって、上記(1)に示されるようにi -1番目までの不透明度の積算値Aout(i-1)がおよそ1.0となった場合、i番目以降の輝度値C(i)は出力画像に反映されない。
【手続補正３】
【補正対象書類名】図面
【補正対象項目名】図１
【補正方法】変更
【補正の内容】
【図１】
2012055531.tif 000001
【手続補正書】
【提出日】平成25年8月22日(2013.8.22)
【手続補正１】
【補正対象書類名】特許請求の範囲
【補正対象項目名】全文
【補正方法】変更
【補正の内容】
【特許請求の範囲】
【請求項１】
静磁場空間に置かれた被検体に高周波を照射する照射手段と、前記被検体から放出される核磁気共鳴信号を受信する受信手段と、受信した前記核磁気共鳴信号に処理を加えて前記被検体の断層画像を再構成する処理手段と、を備える磁気共鳴イメージング装置において、
前記照射手段と前記受信手段の撮像視野内における三次元感度画像データを予め計測する補助計測手段と、
前記処理手段は、所定のスライス幅を有する撮像領域についての前記被検体の撮像画像を取得する本計測手段と、
前記撮像領域を３次元的に複数に分割して得られるブロック毎の前記照射手段および受信手段の感度画像データに基づいて、前記受信手段が有する感度不均一に起因する前記撮像画像の輝度不均一を補正する補正手段を有することを特徴とする磁気共鳴イメージング装置。
【請求項２】
請求項１に記載の磁気共鳴イメージング装置において、
前記補正手段は、前記送信手段の三次元感度画像データの内の前記ブロック毎のデータに基づいて前記撮像領域についての第１の二次元感度画像と、前記受信手段の三次元感度画像データの内の前記ブロック毎のデータに基づいて前記撮像領域についての第２の二次元感度画像とを作成することを特徴とする磁気共鳴イメージング装置。
【請求項３】
請求項１又は２に記載の磁気共鳴イメージング装置において、
前記受信手段が有する感度不均一に起因する画像の輝度不均一補正は、前記第２の二次元感度画像を、前記第１の二次元感度画像で除算処理したデータに基づいて行われることを特徴とする磁気共鳴イメージング装置。
【請求項４】
請求項１又は２に記載の磁気共鳴イメージング装置において、
前記被検体の撮像画像を取得する際に、前記撮像画像の３次元的な位置情報およびスライス幅情報を取得することを特徴とする磁気共鳴イメージング装置。
【請求項５】
請求項２に記載の磁気共鳴イメージング装置において、
前記処理手段は、前記スライス幅方向に分割されたブロック毎の感度画像データを平均化処理して前記第１及び第２の二次元感度画像を算出することを特徴とする磁気共鳴イメージング装置。
【請求項６】
請求項２に記載の磁気共鳴イメージング装置において、
前記処理手段は、前記スライス幅方向に分割されたブロック毎の感度画像データの最大値を用いて前記第１及び第２の二次元感度画像を算出することを特徴とする磁気共鳴イメージング装置。
【請求項７】
静磁場空間に置かれた被検体に高周波を照射する照射手段と、前記被検体から放出される核磁気共鳴信号を受信する受信手段と、受信した前記核磁気共鳴信号に処理を加えて前記被検体の断層画像を再構成する処理手段と、を備える磁気共鳴イメージング装置の画像補正方法において、
前記照射手段と前記受信手段の撮像視野内における三次元感度画像データを予め計測する補助計測ステップを有し、
前記処理手段は、所定のスライス幅を有する撮像領域についての前記被検体の撮像画像を取得する本計測ステップと、
前記撮像領域を３次元的に複数に分割して得られるブロック毎の前記照射手段および受信手段の感度画像データに基づいて、前記受信手段が有する感度不均一に起因する前記撮像画像の輝度不均一を補正する補正ステップとを実行することを特徴とする磁気共鳴イメージング装置の画像補正方法。
【請求項８】
請求項７に記載の磁気共鳴イメージング装置の画像補正方法において、
前記補正ステップは、前記送信手段の三次元感度画像データの内の前記ブロック毎のデータに基づいて前記撮像領域についての第１の二次元感度画像と、前記受信手段の三次元感度画像データの内の前記ブロック毎のデータに基づいて前記撮像領域についての第２の二次元感度画像とを作成することを特徴とする磁気共鳴イメージング装置の画像補正方法。
【請求項９】
請求項７又は８に記載の磁気共鳴イメージング装置の画像補正方法において、
前記受信手段が有する感度不均一に起因する画像の輝度不均一補正は、前記第２の二次元感度画像を、前記第１の二次元感度画像で除算処理したデータに基づいて行われることを特徴とする磁気共鳴イメージング装置の画像補正方法。
【請求項１０】
請求項７又は８に記載の磁気共鳴イメージング装置の画像補正方法において、
前記被検体の撮像画像を取得する際に、前記撮像画像の３次元的な位置情報およびスライス幅情報を取得することを特徴とする磁気共鳴イメージング装置の画像補正方法。
【請求項１１】
請求項８に記載の磁気共鳴イメージング装置の画像補正方法において、
前記処理手段は、前記スライス幅方向に分割されたブロック毎の感度画像データを平均化処理して前記第１及び第２の二次元感度画像を算出することを特徴とする磁気共鳴イメージング装置の画像補正方法。
【請求項１２】
請求項８に記載の磁気共鳴イメージング装置の画像補正方法において、
前記処理手段は、前記スライス幅方向に分割されたブロック毎の感度画像データの最大値を用いて前記第１及び第２の二次元感度画像を算出することを特徴とする磁気共鳴イメージング装置の画像補正方法。